(57)【要約】【課題】光取り出し効率が向上した光源回路ユニット、およびこの光源回路ユニットを備えた照明装置並びに表示装置を提供する。【解決手段】この光源回路ユニットは、表面に光反射性の配線パターンを有する回路基板と、回路基板上に設けられた円形状の台座と、少なくとも台座の周縁部から側面の一部にかけて設けられた撥水領域と、台座上に戴置されると共に、配線パターンを通じて流れる電流により駆動される１または２以上の発光素子チップとを備える。【選択図】図１
2013004815.tif 000002
【特許請求の範囲】
【請求項１】
表面に光反射性の配線パターンを有する回路基板と、
前記回路基板上に設けられた円形状の台座と、
少なくとも前記台座の周縁部から側面の一部にかけて設けられた撥水領域と、
前記台座上に戴置されると共に、前記配線パターンを通じて流れる電流により駆動される１または２以上の発光素子チップと
を備えた光源回路ユニット。
【請求項２】
前記台座は前記配線パターンの一部であると共に、前記撥水領域は撥水剤によって形成されている、請求項１に記載の光源回路ユニット。
【請求項３】
前記台座は撥水剤により形成されている、請求項１に記載の光源回路ユニット。
【請求項４】
前記発光素子チップは発光ダイオードである、請求項１に記載の光源回路ユニット。
【請求項５】
前記発光素子チップは片面に一対の電極を有し、前記配線パターンは、前記台座と、前記発光素子チップの２つの電極がそれぞれ電気的に接続される第１配線層および第２配線層とを含む、請求項１に記載の光源回路ユニット。
【請求項６】
前記発光素子チップは両面に一対の電極を有し、前記配線パターンは、前記発光素子チップの一方の電極が電気的に接続される、前記台座を兼ねた配線層と、他方の電極が電気的に接続される他の配線層とを含む、請求項１に記載の光源回路ユニット。
【請求項７】
前記配線パターンの一部に、前記台座への発光素子チップの搭載および前記封止レンズの形成時の位置合わせに用いられるアライメントマークを有する、請求項１に記載の光源回路ユニット。
【請求項８】
内部に光源回路ユニットを支持する支持部材と、
前記光源回路ユニットの全面に対向配置された拡散シートとを備え、
前記光源回路ユニットは、
表面に光反射性の配線パターンを有する回路基板と、
前記回路基板上に設けられた円形状の台座と、
少なくとも前記台座の周縁部から側面の一部にかけて設けられた撥水領域と、
前記台座上に戴置されると共に、前記配線パターンを通じて流れる電流により駆動される１または２以上の発光素子チップと
を有する照明装置。
【請求項９】
内部に導光板を支持する支持部材と、
前記導光板の全面に対向配置された拡散シートと、
前記支持部材内の前記導光板の端面に対向配置された光源回路ユニットとを備え、
前記光源回路ユニットは、
表面に光反射性の配線パターンを有する回路基板と、
前記回路基板上に設けられた円形状の台座と、
少なくとも前記台座の周縁部から側面の一部にかけて設けられた撥水領域と、
前記台座上に戴置されると共に、前記配線パターンを通じて流れる電流により駆動される１または２以上の発光素子チップと
を有する照明装置。
【請求項１０】
前面から背面への貫通孔を有する支持部材と、
前記支持部材の前方に支持された光学シートと、
コネクタを有し、前記支持部材の背面に配置された駆動基板と、
前記光学シートと前記支持部材との間に配置されると共に、前記貫通孔を介して前記支持部材の背面まで延在し、かつ前記コネクタを介して前記駆動基板に電気的に接続された、折り曲げ可能な光源回路ユニットとを備え、
前記光源回路ユニットは、
表面に光反射性の配線パターンを有する回路基板と、
前記回路基板上に設けられた円形状の台座と、
少なくとも前記台座の周縁部から側面の一部にかけて設けられた撥水領域と、
前記台座上に戴置されると共に、前記配線パターンを通じて流れる電流により駆動される１または２以上の発光素子チップと
を有する照明装置。
【請求項１１】
前面から背面への貫通孔を有する支持部材と、
前記支持部材の前方に支持された光学シートと、
コネクタを有し、前記支持部材の背面に配置された駆動基板と、
前記光学シートと前記支持部材との間に併設された複数の光源回路ユニットと、
前記支持部材の内部から前記貫通孔を通って背面に至ると共に、前記複数の光源回路ユニットそれぞれとは異方性導電樹脂を介して、前記駆動基板とは前記コネクタを介して電気的に接続された折り曲げ可能な接続部材とを備え、
前記光源回路ユニットは、
表面に光反射性の配線パターンを有する回路基板と、
前記回路基板上に設けられた円形状の台座と、
少なくとも前記台座の周縁部から側面の一部にかけて設けられた撥水領域と、
前記台座上に戴置されると共に、前記配線パターンを通じて流れる電流により駆動される１または２以上の発光素子チップと
を有する照明装置。
【請求項１２】
光学シートと、
中央から端面側になるにつれて前記光学シートとの距離が狭くなるような湾曲底面を有する支持部材と、
複数の発光素子チップを１または２以上の列状に有すると共に、前記支持部材内に前記湾曲底面に沿って収容された折り曲げ可能な光源回路ユニットと、
前記光学シートの両端近傍から前記支持部材の背面全体を覆うと共に、前記支持部材の湾曲底面に倣った傾斜面を有する背面保護部材とを備え、
前記光源回路ユニットは、
表面に光反射性の配線パターンを有する回路基板と、
前記回路基板上に設けられた円形状の台座と、
少なくとも前記台座の周縁部から側面の一部にかけて設けられた撥水領域と、
前記台座上に戴置されると共に、前記配線パターンを通じて流れる電流により駆動される１または２以上の発光素子チップと
を有する照明装置。
【請求項１３】
前記複数の発光素子チップの列方向の配列ピッチが前記収容空間の幅が狭くなるにつれて狭くなっている、請求項１２に記載の照明装置。
【請求項１４】
面輝度を均一化するよう前記複数の発光素子チップに対する駆動電流を前記発光素子チップの列方向の配列ピッチに応じて調整する、請求項１３に記載の照明装置。
【請求項１５】
表示パネルと、前記表示パネルに対する光源としての光源回路ユニットとを備え、
前記光源回路ユニットは、
表面に光反射性の配線パターンを有する回路基板と、
前記回路基板上に設けられた円形状の台座と、
少なくとも前記台座の周縁部から側面の一部にかけて設けられた撥水領域と、
前記台座上に戴置されると共に、前記配線パターンを通じて流れる電流により駆動される１または２以上の発光素子チップと
を有する表示装置。
【発明の詳細な説明】
【技術分野】
【０００１】
本技術は、発光ダイオード（ＬＥＤ；Light Emitting Diode) などの発光素子を光源に用いた光源回路ユニットおよび照明装置、並びにこの照明装置をバックライトとして備えた表示装置に関する。
【背景技術】
【０００２】
発光ダイオード（ＬＥＤ）は液晶表示装置等のバックライト（光源）や、白熱電球や蛍光灯に代わる照明装置の光源として注目されている。
【０００３】
通常、基板等に搭載したＬＥＤチップは封止剤（封止レンズ）によって封止されている。この封止剤は、主にシリコン等が用いられており、その屈折率は１．５前後となっている。屈折率１．５の物質から屈折率１．０の空気に向かって光が入射する場合、臨界角は約４１．８°となり、封止レンズ表面への入射角が４１．８°を超えた光は全反射され、外部に出射されなくなる。また、ＬＥＤを用いた光源では、封止剤に蛍光物質を混練することで、ＬＥＤの発光光とは異なる波長の光を得ることができる。封止剤に混練された蛍光物質は、ＬＥＤから照射された光によって励起され、全方位にほぼ均等に光を発する。このことから、封止レンズの形状を、封レンズ内部で発せられた光が最も多くレンズ表面をまっすぐ通過することが可能となる形状、即ち半球状とすることによって光取り出し効率が向上することがわかる。
【０００４】
半球状の封止レンズを形成する方法としては、封止領域の外側にレジスト層を設け、レジスト層と基板との撥水性の差によってレンズ形状を調整するＬＥＤチップの樹脂封止方法が開示されている（例えば、特許文献１参照）。
【先行技術文献】
【特許文献】
【０００５】
【特許文献１】特開２００１−３３２７７０号公報
【発明の概要】
【発明が解決しようとする課題】
【０００６】
しかしながら、このような封止方法では、実際には封止剤はレジスト層上に濡れ上がり、半球状からは程遠い形状のレンズしか得られないという問題があった。このため、十分な光取り出し効率の改善は見られなかった。
【０００７】
本技術はかかる問題点に鑑みてなされたもので、その目的は、光取り出し効率が向上した光源回路ユニットおよび照明装置、並びに表示装置を提供することにある。
【課題を解決するための手段】
【０００８】
本技術による光源回路ユニットは、表面に光反射性の配線パターンを有する回路基板と、回路基板上に設けられた円形状の台座と、少なくとも台座の周縁部から側面の一部にかけて設けられた撥水領域と、台座上に戴置されると共に、配線パターンを通じて流れる電流により駆動される１または２以上の発光素子チップとを備えたものである。
【０００９】
本技術による照明装置および表示装置はそれぞれ上記光源回路ユニットを備えたものである。
【００１０】
本技術の光源回路ユニット、照明装置または表示装置では、発光素子チップを、周縁部から側面の一部にかけて撥水領域を有する台座上に戴置することにより、この台座と略同径、且つ略半球形状の封止レンズが得られる。
【発明の効果】
【００１１】
本技術の光源回路ユニットおよび照明装置、並びに表示装置によれば、発光素子チップを、周縁部から側面の一部にかけて撥水領域を有する台座上に戴置し、この台座上に封止レンズを設けるようにした。これにより、台座と略同径、且つ略半球状の封止レンズが形成され、発光素子チップの発光光を効率よく取り出すことが可能となる。
【図面の簡単な説明】
【００１２】
【図１】本開示の一実施の形態に係る光源回路ユニットを表す平面図および断面図である。
【図２】ＬＥＤチップの電極構成を表す図である。
【図３】封止レンズの形成過程を説明する模式図である。
【図４】比較例１に係る光源回路ユニットの断面図である。
【図５】比較例２に係る光源回路ユニットの断面図である。
【図６】変形例に係る光源回路ユニットの平面図および断面図である。
【図７】適用例１に係る液晶表示装置を表す断面図である。
【図８】適用例２に係る液晶表示装置を表す要部平面図および断面図である。
【図９】適用例３に係る液晶表示装置を表す断面図である。
【図１０】適用例４に係る液晶表示装置を表す断面図である。
【図１１】適用例５に係る液晶表示装置を表す断面図である。
【図１２】他のＬＥＤチップの配線構成を表す図である。
【発明を実施するための形態】
【００１３】
以下、本開示の実施の形態について、図面を参照して詳細に説明する。なお、説明は以下の順序で行う。
実施の形態（周縁部から側面にかけて撥水領域を有する台座上にＬＥＤチップを搭載した例）
変形例（台座を撥水剤で形成した例）
適用例１（直下式バックライトの例）
適用例２（分割基板の例）
適用例３（回路基板を折り曲げて支持部材の背面側で駆動基板に接続した例）
適用例４（支持部材と共に回路基板を湾曲させた例）
適用例５（エッジ式バックライトの例）
【００１４】
（実施の形態）
図１（Ａ）は、本開示の一実施の形態に係る光源回路ユニット１の平面構成を表したものであり、図１（Ｂ）は、図１（Ａ）のＩ−Ｉ’一点鎖線における光源回路ユニット１の断面構成を表したものである。この光源回路ユニット１は、例えば液晶表示装置などの表示装置のバックライトや白熱電球、蛍光灯に代わる光源回路ユニットとして用いられるものであり、回路基板１１上にドーム状の封止レンズ１２により覆われた発光素子チップ、例えばＬＥＤチップ１３を備えている。ＬＥＤチップ１３の数はここでは１個としているが、２個以上としてもよく、直下式バックライトに適用する場合には行列状に多数のＬＥＤチップ１３を用いる。
【００１５】
回路基板１１にはその表面に光反射性の配線パターン１４が設けられている。この配線パターン１４には、例えば、ＬＥＤチップ１３へ駆動電流を供給するための配線層１４Ａおよび配線層１４Ｂと共に、ＬＥＤチップ１３を搭載する台座１４Ｃが含まれている。これら配線層１４Ａ，１４Ｂおよび台座１４Ｃは導電性を有し、且つ光反射性を有する材料により同一工程で形成されたものであり、互いに電気的に独立している。なお、本実施の形態では、台座１４ＣはＬＥＤチップ１３の台座としての機能よび封止レンズ１２の形状および位置を決定する機能のみを有し、本来の配線としての機能を有していない。また、配線パターン１４には、台座１４Ｃ上へのＬＥＤチップ１３の搭載および撥水領域（撥水層１７）の形成時に使用するアライメントマーク１４Ｄも含まれている。このアライメントマーク１４Ｄは配線層１４Ａ，１４Ｂを結ぶ線を基準に台座１４Ｃの対角線上に２点設けられており、台座１４Ｃと同一工程、且つ同一版（マスク）で形成することにより、封止レンズ１２のレンズ中心とＬＥＤチップ１３の中心との位置合わせを容易にすることができる。なお、ここで、「光反射性」とは、ＬＥＤチップ１３の発光光（裏面発光光）に対する反射率が９０％以上の高い反射率を有する場合をいい。このような光反射性を有する材質として、具体的には、例えばアルミニウム（Ａｌ），銀（Ａｇ）あるいはこれらの合金等が挙げられる。但し、コスト面からはＡｌが最も好ましい。また、ここではアライメントマーク１４Ｄを対角線上に２点設けたが、これに限らず、例えば台座１４Ｃを囲むように４点設けてもよい。
【００１６】
なお、上記のように工程を簡略化するためには配線層１４Ａ，１４Ｂ，１４Ｃ，１４Ｄは同一材料により同一工程で形成されたものが好ましいが、台座１４Ｃは配線層１４Ａ，１４Ｂおよびアライメントパターン１４Ｄとは異なる材料により異なる工程で形成してもよい。
【００１７】
ＬＥＤチップ１３は、例えば図２に示したように、表面に２つの電極（ｎ型電極１３Ａおよびｐ型電極１３Ｂ）を有している。このＬＥＤチップ１３は、例えば透明基板１３ａの上に形成されたバッファ層１３ｂ，ｎ型クラッド層１３ｃ、活性層１３ｄ、ｐ型クラッド層１３ｅおよびキャップ層１３ｆにより構成されている。ｎ型電極１３Ａはｎ型クラッド層、ｐ型電極１３Ｂはキャップ層にそれぞれ電気的に接続されている。
【００１８】
ＬＥＤチップ１３のｎ型電極１３Ａおよびｐ型電極１３Ｂはそれぞれアルミニウム（Ａｌ），金（Ａｕ）などの配線（ボンディングワイヤ）１５Ａ，１５Ｂを通じて配線層１４Ａ，１４Ｂと電気的に接続されている。即ち、ＬＥＤチップ１３は配線層１４Ａ，１４Ｂおよび配線１５Ａ，１５Ｂを通じて流れる電流により駆動され、発光するようになっている。
【００１９】
本実施の形態では、このＬＥＤチップ１３が台座１４Ｃ上に、直接に搭載されている。ここに、「直接に」とは、ＬＥＤチップ１３をパッケージ化したり、台座１４ＣとＬＥＤチップ１３との間に錫や金のめっき層などの反射層を間に設けるようなことなく、ＬＥＤチップ１３の裏面（上記透明基板）そのものを台座１４Ｃにダイボンディングなどにより固着させることを意味する。但し、図１に示したようにダイボンディング用の透明ペースト１６などの接着層は台座１４ＣとＬＥＤチップ１３との間に介在していてもよいものとする。なお、本実施の形態では透明ペースト１６は導電性を有するものではないが、後述のように、両面に電極を有するＬＥＤチップを用いる場合には、台座１４Ｃが電流路としての機能を有するため、透明ペースト１６は導電性を有するものとする。
【００２０】
回路基板１１としては可撓性を有し、折り曲げ可能であることが好ましく、具体的には、ＰＥＴ（ポリエチレンテレフタレート）やフッ素、ＰＥＮ（ポリエチレンナフタレート）などの樹脂製フィルムに配線パターン１４を印刷したものを用いることができる。樹脂製フィルムの膜厚は例えば２０μｍ〜５０μｍ、配線パターン１４の厚みは例えば３５μｍ〜５０μｍであるが、これらに限るものではない。
【００２１】
回路基板１１としては、その他、表面にポリイミドやエポキシ系などの絶縁性樹脂層が形成された、Ａｌなどのメタルベース基板の当該絶縁性樹脂層上に上記反射性材質の配線パターンを印刷したものを用いてもよい。また、ＦＲ４（ガラスエポキシ樹脂）やＣＥＭ３（ガラスコンポジット樹脂）などのガラス含有樹脂からなるフィルム基材上に上記反射性材質の配線パターンを印刷したものとしてもよい。
【００２２】
封止レンズ１２は、ドーム形状を有し、ＬＥＤチップ１３を保護すると共に、ＬＥＤチップ１３から発せられた光の取り出し効率を向上させるためのものである。この封止レンズ１２は、例えばシリコンやアクリル樹脂などの透明樹脂により構成され、ＬＥＤチップ１３の全体を覆うように形成されている。また、上述したように、この封止レンズ１２には蛍光物質が含まれていてもよい。例えばシリコンやアクリル樹脂などの透明樹脂に蛍光物質を例えば重量比１０％で混練することにより、ＬＥＤチップ１３からの発光光の色調を調整することができる。即ち、ＬＥＤチップ１３からの所定の波長の光が照射されると、封止レンズ１２に含まれる蛍光物質が励起され、照射された波長とは異なる波長の光が射出される。蛍光物質としては、例えばイットリウム・アルミニウム・ガーネット（ＹＡＧ）蛍光物質などを用いることができる。
【００２３】
封止レンズ１２の底部の大きさは、本実施の形態のように回路基板１１上に設けられた台座１４Ｃ上に直接搭載され、且つ電源供給のためのワイヤボンディング１５Ａ，１５Ｂが必要なＬＥＤチップ１３では、ボンディングワイヤ１５Ａ，１５Ｂがはみ出さない大きさとなる。具体的には、封止レンズ１２のレンズ半径Ｒは、図１（Ｂ）に示したように、チップサイズＬの１／２に、ＬＥＤチップ１３の端面からのボンディングワイヤ１５Ａ（またはボンディングワイヤ１５Ｂ）の長さＡと、ボンディングワイヤ１５Ａ（１５Ｂ）の長さや接続位置、封止レンズ１２の形成位置やその大きさ（レンズ半径Ｒ）等の製造上のばらつきを吸収するマージンＢとを足した値となる。ボンディングワイヤ１５Ａ，１５Ｂの長さは適応製品の求める信頼性に必要な強度に適合するワイヤ径と合わせて決定される。また、製造ばらつきのマージンは使用している製造装置の精度により決定される。一例として、チップサイズＬが５１０μｍのＬＥＤチップ１３を用いた場合の封止レンズ１２のレンズ半径Ｒは、以下のような数値となる。例えば液晶表示装置用のバックライトを想定した場合には、ボンディングワイヤの径φは２５μｍ、ワイヤ長Ａは０．７ｍｍとなる。ダイボンディング装置の各位置精度は±０.０３ｍｍ、レンズ中心の位置の精度は各±０．１ｍｍ、シリコンの塗布量によるレンズ半径の精度は±０．１２ｍｍ程度である。このことからボンディングワイヤと封止レンズ１２とのギャップを０．３ｍｍとすると、この場合のマージンＢはＢ＝０．０３＋０．１＋０．１２＋０．３＝０．５５ｍｍとなる。従って封止レンズ１２のレンズ半径Ｒの設計値はＲ＝０．２５５＋０．７＋０．５５≒１．６ｍｍとなる。
【００２４】
また、本実施の形態の封止レンズ１２は、ドーム形状の中でも特に、封止レンズ１２の底部の半径Ｒと高さＨとの比（アスペクト比Ｈ／Ｒ）が０．８以上、好ましくは０．８５以上の略半球状を有する。前述のように、封止レンズ１２の材料としてシリコンを用いた場合には、空気とシリコンとの屈折率の差から、封止レンズ１２表面への光は、入射角が臨界角（４１．８°）を超えると封止レンズ１２の内部へ全反射されてしまう。また、蛍光物質が混練された封止レンズ１２では、ＬＥＤチップ１３から射出された光が封止レンズ１２中の蛍光物質に照射されることで蛍光物質が励起子、ＬＥＤチップ１３の光とは異なる波長の光を射出する。この際、ＬＥＤチップの発光光に加え、蛍光物質の発光も全方位にほぼ均等に発光する。従って、封止レンズ１２内の発光光の取り出し効率を向上させるためには、封止レンズ１２のレンズ形状を、全方位に均等に発せられる光のレンズ表面への入射角が臨界角以下となるように形成することが好ましい。より好ましくは入射角０°に近い状態で封止レンズ１２を通過可能な形状、即ち半球状であることがわかる。
【００２５】
このような形状の封止レンズ１２は、ＬＥＤチップ１３と回路基板１１との間に台座１４Ｃを設けることによって得られる。
【００２６】
台座１４Ｃは、上述のように配線層１４Ａ，１４Ｂと同一工程および同一版で形成される配線パターン１４であり、ＬＥＤチップ１３を搭載すると共に、封止レンズ１２の外径を決定するものである。この台座１４Ｃは円形状であり、その半径Ｒは封止レンズ１２のレンズ半径Ｒの設計値となる。また、台座１４Ｃの厚みは、少なくとも封止レンズ１２を構成する材料、例えばシリコン原子の厚み（直径）以上であればよい。好ましくは２０μｍ〜５０μｍとすることにより封止レンズ１２の形状を略半球状に形成することができる。台座１４Ｃには、その周縁部から側面および台座１４Ｃ周辺の回路基板１１にかけて撥水層１７が形成されている。なお、ここでの「円形状」とは必ずしも正確な円形でなくてもよい。具体的には、上述した封止レンズ１２が略半球な形状を形成可能であれば、円周状に凹凸を有していてもよい。また、ここでは撥水層１７は、台座１４Ｃの周縁部の他に側面および台座１４Ｃの周辺領域全体に形成されているがこれに限らず、少なくとも台座１４Ｃの周縁部およびその側面の一部に連続的に形成されていればよい。
【００２７】
撥水層１７は、台座１４Ｃと共に、封止レンズ１２を所定の形状および所定の位置に形成するためのものである。撥水層１７が形成された台座１４ＣにＬＥＤチップ１３を搭載したのち、台座１４Ｃ上に封止剤をポッティングしていくと、封止剤は台座１４Ｃの周縁部に設けられた撥水層１７に乗り上げる。そのままポッティングを継続すると、封止剤は撥水層１７の内径に沿ってある接触角を保って拡がり、やがて台座１４Ｃの外縁に到達する。外縁部に到達した封止剤は、撥水層１７の撥水性および封止剤自身の表面張力により台座１４Ｃからこぼれることなく徐々に球形をとるようになる。この際、撥水層１７の膜厚は、台座１４Ｃと回路基板１１との段差が埋まり外縁部のエッジがスロープ状にならない厚さ、例えば１μｍ〜２μｍとすることが好ましい。撥水層１７は、例えばフッ素樹脂などの撥水剤により形成される。
【００２８】
なお、配線層１４Ａ，１４Ｂと封止レンズ１２の外周部分との間には、白色のレジスト層（図示せず）を設けてもよい。また、封止レンズ１２により覆われた領域内の台座１４Ｃと配線層１４Ａ，１４Ｂとの間の回路基板１１上にも白色のレジスト層を設けてもよい。白色のレジストとしては、例えば酸化チタン（ＴｉＯ2）微粒子や硫酸バリウム（ＢａＳＯ4）微粒子などの無機材料、光散乱のための無数の孔を有する多孔質アクリル樹脂微粒子やポリカーボネイト樹脂微粒子などの有機材料が挙げられる。具体的には、ソルダーレジストＦＩＮＥＤＥＬ  ＤＳＲ−３３０Ｓ４２−１３Ｗ（商品名，タむら化研株式会社）などを利用することができる。これら白色のレジスト層は、ボンディング時の加熱等により反射率が低下する虞があるが、光反射機能（８０％前半）を有する。
【００２９】
この光源回路ユニット１は、例えば以下の工程により作製することができる。
【００３０】
まず、回路基板１１上に、例えば厚さ２０μｍ〜５０μｍのＡｌのベタ膜を形成し、配線層１４Ａ，１４Ｂ、台座１４Ｃおよびアライメントマーク１４Ｄを形成する。この時、台座１４Ｃは上述のように、設計した封止レンズ１２の半径Ｒと同径の円形状とする。こののち、台座１４Ｃ上に透明ペースト１６を塗布し、アライメントマーク１４Ｄを用いて位置合わせを行い台座１４Ｃの中心とＬＥＤチップ１３の中心が一致するようにＬＥＤチップ１３を搭載したのち、加熱硬化し、台座１４Ｃ上にＬＥＤチップ１３を固着する。次いで、ワイヤボンディングによりＬＥＤチップ１３の２つの電極（ｎ型電極１３Ａおよびｐ型電極１３Ｂ）と配線層１４Ａ，１４Ｂとの間を上述の配線１５Ａ，１５Ｂにより接続させる。
【００３１】
次いで、台座１４Ｃの周縁部から台座１４Ｃの周辺部にかけて円環状に撥水剤を塗布し、膜厚１μｍ〜２μｍの撥水層１７を形成したのち、適量の封止剤（例えばシリコン樹脂など）を台座１４Ｃ上にポッティングする。ここでいう「適量」とは、台座１４Ｃからこぼれ落ちずに表面張力を保つことが可能な量、具体的には、粘度が５００ｍＰａ程度の封止剤であれば、撥水層１８による接触角を保ちながら台座１４Ｃの外周に達する量を１００％とした場合、１２５％以上の封止剤を塗布することが好ましい。より好ましくは１２５％以上２０２％以下とすることにより、アスペクト比０．８５以上の略球形の封止レンズ１２を得ることができる。
【００３２】
図３は封止レンズ１２の形成時における封止剤のポッティング過程を表わしたものである。塗布ノズルＸの位置がＬＥＤチップ１３の中心と一致している場合には、ポッティングされた封止剤はＬＥＤチップ１３を中心に左右対称に徐々に拡がる。封止剤が撥水層１７に乗り上げる量まで増えていくと撥水層１７の内径に沿って撥水層１７がある接触角を保って拡がっていく。しかし、図３のように塗布ノズルＸの位置がＬＥＤチップ１３の中心からずれている場合には、まず、封止剤は撥水層１７の内径と台座１４Ｃの外径との最も近い位置（図中、右端側）に到達する。台座１４Ｃの内径に封止剤が達した後も封止剤の注入を続けると撥水層１７に乗り上げたのち、台座１４Ｃの外縁に達する。こののち、更に封止剤を注入すると、封止剤は台座１４Ｃからはみ出すが、封止剤自体の表面張力で丸まろうとするため台座１４Ｃから落ちずに留まる。更に封止剤の注入を続けると、台座１４Ｃの外縁に沿って撥水層１７の内径と台座１４Ｃの外径の離れた方向（図中、左端側）に拡がり、やがて台座１４Ｃの全体を覆うようになる。このように、本実施の形態では台座１４Ｃの位置がそのまま封止レンズ１２の形成位置となる。
【００３３】
なお、台座１４Ｃ全体を覆った状態から更に封止剤を注入すると、封止剤は表面張力によって台座１４Ｃの外縁に留まり、徐々に液滴の高さが高くなり、アスペクト比（Ｈ／Ｒ）０．８５以上の略半球状となる。但し、封止剤の表面張力を超えた注入を行うと、封止剤は自身の重量を支え切らなくなり台座１４Ｃからこぼれ出す。このため、封止剤の注入量はそのばらつきを考慮して、台座１４Ｃ全体を覆うのに必要な量と台座１４Ｃからこぼれ落ちない限界量との中間値を塗布量としておくのが望ましい。この塗布量が、上述した１２５％以上２０２％以下である。
【００３４】
台座１４Ｃ上に封止剤を塗布したのち、例えば温度１５０°Ｃで４時間加熱することにより封止剤を硬化させる。これによりアスペクト比（Ｈ／Ｒ）０．８５以上を有する略半球状の封止レンズ１２が形成され、図１に示した光源回路ユニット１を得ることができる。
【００３５】
なお、ここでは台座１４ＣへのＬＥＤチップ１３のダイボンディングおよびワイヤボンディングののちに撥水層１７を形成したが、これに限らず、撥水層１７を形成したのち、台座１４ＣへのＬＥＤチップ１３のダイボンディングおよびワイヤボンディングを行ってもかまわない。
【００３６】
本実施の形態の光源回路ユニット１では、回路基板１１上に、周縁部および側面の一部に撥水層１７を有する台座１４Ｃを設け、ＬＥＤチップ１３を搭載する。この台座１４Ｃ上に封止レンズ１２を設けることにより、封止レンズ１２の形状はアスペクト比（Ｈ／Ｒ）０．８５以上の略半球状となる。これにより、ＬＥＤチップ１３から出射される光の取り出し効率が向上する。以下、これについて更に説明する。
【００３７】
（比較例１）
図４は、本実施の形態の光源回路ユニット１と同様に、回路基板１１１上に直接ＬＥＤチップ１１３をダイボンディングした光源回路ユニット１００Ａである。回路基板１１１の表面は基板基材そのもの（例えばガラスエポキシや樹脂フィルム）であったり、白レジスト剤や配線パターンとなるＡｇやＡｌ等の金属層が設けられている。このような回路基板１１１上に封止剤を塗布して封止レンズ１１２を形成した場合には、回路基板１１１の表面は封止剤に対する撥水性が低いため、図４に示したようにアスペクト比（Ｈ／Ｒ）は０．２〜０．３程度となり、上記理想的なレンズ形状（半球状）からは程遠い形状となる。
【００３８】
（比較例２）
また、図５は回路基板１１１に搭載したＬＥＤチップ１１３の周囲に円環状の撥水層１１７を設けた光源回路ユニット１００Ｂである。この光源回路ユニット１００Ｂでは、ＬＥＤチップ１１３上にポッティングされた封止剤は撥水層１１７上に濡れ上がり、撥水層１１７上では接触角を保つため、上記比較例１の封止レンズ１１２よりもレンズの高さＨを保つことが可能となる。しかしながら、このような構成でもアスペクト比（Ｈ／Ｒ）は０．６〜０．７２程度までしか向上せず、十分な取り出し効率は得られない。
【００３９】
また、比較例２のようにＬＥＤチップ１１３の周囲に撥水層１１７を設けた場合には、封止レンズ１１２の形成位置は撥水層１１７に依存する。本実施の形態および比較例１，２のように回路基板上に直接ＬＥＤチップをダイボンディングした光源回路ユニットでは、通常ＬＥＤチップの搭載位置の位置合わせのためにアライメントマークを基板上に設ける。このアライメントマークは、撥水層１１７を形成する際の位置合わせにも使用するが、回路基板１１１へのＬＥＤチップ１１３の搭載および撥水層１１７の形成はそれぞれ異なる工程および独立した装置で行われる。現在用いられているダイボンディング装置のチップ搭載位置精度は±２０μｍ〜３０μｍ、撥水剤塗布装置での基板位置決め精度が±２０μｍ〜３０μｍ、撥水剤の半の位置決め精度が±２０μｍ〜３０μｍ、版のパターン位置精度が±２０μｍ〜３０μｍ程度である。このため、ＬＥＤチップ１１３の中心と円環状の撥水層１１７の中心位置は約１００μｍ近くばらつくこととなる。これにより、ＬＥＤチップ１１３の中心と封止レンズ１１２の中心に位置ずれが生じるという問題があった。
【００４０】
上記のようにＬＥＤチップの中心と封止レンズの中心位置がずれた光源回路ユニットでは、ＬＥＤチップに近い場所ほどＬＥＤチップからの発光光が強くなる。このため、レンズ外に出射される光の角度ごとの光強度の分散（配光）はＬＥＤチップの中心から対称にならない。また、封止レンズ１１２にＬＥＤチップ１１３の発光光とは異なる発光を示す蛍光物質を混練した光源回路ユニットでは、ＬＥＤチップおよび封止レンズの中心位置のずれにより、ＬＥＤチップから封止レンズ表面までの距離にばらつきが生じる。これにより、各方向に存在する蛍光物質の量が一定にならず色度が狙いからずれてしまう虞もある。
【００４１】
本実施の形態および上記比較例１，２のように、回路基板上に直接ＬＥＤチップを戴置した光源回路ユニット（ダイレクトマウント式ＬＥＤ）は、従来用いられているパッケージ化されたＬＥＤチップ（パッケージ型ＬＥＤ）を用いた光源回路ユニットと比較して、部品点数および製造工程数の少なさなどからコストを大幅に低減することができる。その反面、バックライトとしてダイレクトマウント式ＬＥＤを用いた表示装置では、パッケージ型ＬＥＤを用いた表示装置よりも色度むらや粒むらが大きいという問題があった。これは以下の理由が挙げられる。
【００４２】
パッケージ型ＬＥＤは、具体的には、リードフレーム上にＬＥＤチップが搭載され、このＬＥＤチップを中心にすり鉢状に設けられた反射板やハウジング等を備えると共に、これらに囲まれた空間を封止剤によって封止されたものである。完成したパッケージ型ＬＥＤは、輝度や色度あるいは駆動電圧などのばらつきが大きいため、製造後に個別に輝度や色度の検査を行い、同程度の特性を有するＬＥＤごとに仕分されて光源回路ユニットに用いられる。このためパッケージ型ＬＥＤを複数用いた光源回路ユニットは、輝度や色度のばらつきが抑えられる。一方、ダイレクトマウント式のＬＥＤでは、回路基板上に直接搭載するため発光特性ごとにＬＥＤを仕分けすることはできない。このため光源回路ユニット内での輝度や色度のばらつきが発生する。よって、表示装置のバックライトとしてダイレクトマウント式のＬＥＤを用いた際に発生する色度むらや粒むらを低減するためには、製造上のばらつきを抑えることが課題となっていた。
【００４３】
本実施の形態の光源回路ユニット１では、ＬＥＤチップ１３を、周縁部から側面の一部にかけて撥水層１７を有する台座１４Ｃ上に戴置し、この台座１４Ｃ上に封止剤を塗布し、封止レンズ１２を形成する。封止剤を台座１４Ｃ上に塗布した際、台座１４Ｃの周縁部および側面に設けられた撥水層１７は封止剤の拡がりを制御し、封止レンズ１２の高さを高く、例えば、アスペクト比（Ｈ／Ｌ）が０．９程度（具体的には０．８５〜０，９８）にまで向上し理想的なレンズ形状である半球状に近い封止レンズ１２を形成することが可能となる。これにより、光源回路ユニット１の光取り出し効率が比較例２と比較して約５〜１０％向上する。
【００４４】
また、本実施の形態の光源回路ユニット１では台座１４Ｃがそのまま封止レンズ１２の形成位置となる。このため、比較例２のように撥水層１１７の形成時における位置ずれを考慮する必要がなくなる。また、本実施の形態では配線パターン１４の一部として同一工程および同一版において、台座１４Ｃと共に、アライメントマーク１４Ｄを形成する。このため、台座１４ＣへのＬＥＤチップ１３の搭載時における位置合わせの精度が向上する。即ち、ＬＥＤチップ１３の中心および封止レンズ１２の中心の位置ずれが低減され、上述した封止レンズ１２の外部に出射される光の角度ごとの光強度の分散（配光）がＬＥＤトップ１３の中心から対称となる。即ち、封止レンズ１２を備えたＬＥＤチップ１３の色度や取り出し効率、配光のばらつきが低減されるため、この形態の光源回路ユニット１をバックライトとして用いた際の粒むら等の輝度むらが低減される。よって、パッケージ型ＬＥＤをパックライトとして用いた表示装置と同程度の特性を備え、且つ安価な表示装置を提供することができる。
【００４５】
具体的には、上記比較例２では、封止レンズ１１２の外径位置は撥水層１１７の内径に従い、封止レンズ１１２の外径は封止剤の塗布量に従う。このため、封止レンズ１１２の半径Ｒのばらつきは±０．１２ｍｍ、ＬＥＤチップ１１３の中心と封止レンズ１１２の中心位置のばらつきは±０．１３ｍｍであった。これに対して本実施の形態では、上述のように封止レンズ１２の外径は台座１４Ｃの外径と一致する。このため、封止レンズ１２の外径のばらつきは台座１４Ｃの外径ばらつきと同じ、即ち印刷精度となる。ＬＥＤチップ１３の中心および封止レンズ１２の中心のばらつきは、アライメントマーク１４Ｄおよび台座１４Ｃの中心の位置精度、即ち印刷精度にＬＥＤチップ１３のダイボンディング装置の精度を加えたものとなる。配線層１４Ａ，１４Ｂや台座１４Ｃ、アライメントマーク１４Ｄの印刷をフォトレジストで行なう場合には、その位置精度は±数μｍ、版のパターン形状精度は±０．０５ｍｍ程度となるため、レンズ半径Ｒのばらつきは±０．０５ｍｍ、ＬＥＤチップ１３の中心と封止レンズ１２の中心のばらつきは±０．０３ｍｍ＋数μｍとなり、レンズ外径とレンズ位置のばらつきも非常に少なくなる。
【００４６】
また、本実施の形態では、ＬＥＤチップ１３を導電性材料からなる台座１４Ｃ上に戴置するようにしたので、ＬＥＤチップ１３で発生した熱は台座１４Ｃに伝達される。即ち、放熱効果が得られ、ＬＥＤチップ１３の動作特性（発光効率）および寿命特性が向上する。
【００４７】
以下、上記実施の形態の変形例について説明するが、上記実施の形態と共通の構成要素については同一符号を付してその説明は省略すると共に、共通の効果についても説明を省略する。
【００４８】
（変形例）
図６（Ａ）は本変形例に係る光源回路ユニット２の平面構成を表したものであり、図６（Ｂ）は、図６（Ａ）のＩＩ−ＩＩ’一点鎖線における光源回路ユニット２の断面構成を表したものである。本変形例の光源回路ユニット２は、台座２４Ｃを撥水剤により形成した点が上記実施の形態の光源回路ユニット１とは異なる。また、ＬＥＤチップ１３は配線層１４Ａ，１４Ｂおよびアライメントマーク１４Ｄと同一材料および同一工程で形成されたチップ搭載層２４Ｅに搭載されている。なお、台座２４Ｃの厚み等の形状は上記１４Ｃと同様である。また、ここではＬＥＤチップ１３を配線パターン１４と同一材料のチップ搭載層２４Ｅ上に戴置したが、撥水剤からなる台座２４Ｃ上に戴置しても構わない。但し、ボンディングの容易さおよび導電性材料による放熱効果等から、ＬＥＤチップはチップ搭載層２４Ｅ上に戴置することが好ましい。
【００４９】
本変形例の光源回路ユニット２では、台座２４Ｃを撥水剤で形成することにより、光源回路ユニット２の製造工程において、撥水層の形成工程が省略され、工程数が削減される。
【００５０】
上記光源回路ユニット１，２は折り曲げ可能であり、例えば街灯や手術用の照明など各種用途の照明装置に適用することができる。また、液晶表示装置などの表示装置のバックライト（照明装置）としても適用可能である。その場合には、液晶パネルの直下に光源ユニットを配置する直下型でも、あるいは導光板の端面に光源を配置するエッジ型のいずれでも適用可能である。
【００５１】
（適用例１）
図７は直下型のバックライトを用いた液晶表示装置の構成を表すものである。このバックライト４０は、例えば上記光源回路ユニット１をバックシャーシ４１（支持部材）の底面に配置したものである。光源回路ユニット１の上方にはミドルシャーシ４２により光学シート、例えば拡散シート４３が支持されている。バックシャーシ４１の側壁にも拡散シート４４が設けられている。
【００５２】
この液晶表示装置では、光源回路ユニット１の封止レンズ１２から取り出された光は拡散シート４３を透過して液晶パネル４５に至ると共に、一部は拡散シート４３，４４により反射され、更にその反射光が上記の白色レジスト層や反射シート等により再び拡散シート４３に戻されて液晶パネル４５に至り、その結果表示なされる。
【００５３】
（適用例２）
上記のような直下型のバックライトでは、基板の製造上の都合で、大判の光源回路ユニット１を製造することが困難であり、基板を細かく分割する場合がある。図８（Ａ），（Ｂ）はこのような分割基板を用いたバックライト５０の構成を表している。図８（Ａ）はその平面構成、図８（Ｂ）はその断面構成を表すものである。このバックライト５０は、例えば上記光源回路ユニット１をバックシャーシ５１（支持部材）の底面に配置したものである。光源回路ユニット１は、複数個、並列配置されており、これら複数の光源回路ユニット１に共通に反射シート５１が設けられている。反射シート５１は例えばＡｌにより構成されており、各ＬＥＤチップ１３に対応して開口５１Ａを有している。
【００５４】
光源回路ユニット１の上方にはミドルシャーシ５２により拡散シート５３が支持されている。このバックライト５０の前面には液晶パネル５４が配設されている。バックシャーシ５１の背面には、光源回路ユニット１に駆動電流を供給するためのＬＥＤ駆動回路基板５５が配設されている。このＬＥＤ駆動回路基板５５にはコネクタ５５Ａが設けられている。反射シート５１の一辺側にはＡＣＦ（異方性導電樹脂）５６を介してＦＦＣ（フレキシブル・フラット・ケーブル）５７の一端が熱圧着により接合されている。バックシャーシ５１にはこのＦＦＣ５７の端面形状（矩形）に対応した形状の貫通孔５７Ａが設けられている。ＦＦＣ５７はバックシャーシ５１の内部から貫通孔５７Ａを通して背面側に沿うよう折り曲げられている。ＦＦＣ５７の端部はコネクタ差し込み部となっており、このコネクタ差し込み部がＬＥＤ駆動回路基板５５のコネクタ５５Ａに差し込まれ、互いに電気的に結合されている。
【００５５】
このようなバックライト５０を備えた液晶表示装置では、分割基板を用いているため、上記ダイレクトボンディングにより一部に不良品が発生したとしても、当該不良品を交換するのみで対処でき，全ての基板を交換する必要がなくなる。
【００５６】
（適用例３）
図９は適用例３に係る液晶表示装置の構成を表すものである。バックライト６０は、例えば上記光源回路ユニット１をバックシャーシ６１の底面に配置したものであり、光源回路ユニット１の上方にはミドルシャーシ６２により拡散シート６３が支持されている。バックライト６０の前面には液晶パネル６４が配設されている。バックシャーシ６１の背面にはＬＥＤ駆動回路基板６５が配設されている。このＬＥＤ駆動回路基板６５にはコネクタ６５Ａが設けられている。バックシャーシ６１の端部近傍には光源回路ユニット１の回路基板１１の端面形状（矩形）に対応した形状の貫通孔６１Ａが設けられている。回路基板１１の端部側はこの貫通孔６１Ａを通して背面側に沿うよう折り曲げられている。回路基板１１の端部はコネクタ差し込み部となっており、このコネクタ差し込み部がＬＥＤ駆動回路基板６５のコネクタ６５Ａに差し込まれ、互いに電気的に結合されている。なお、回路基板１１側の配線パターン１４がＡｌで形成され、コネクタ６５Ａ側の端子が金（Ａｕ）めっきである場合には、異種金属による電食を防止するために回路基板１１のコネクタ差し込み部先端には金または錫めっきを施すことが望ましい。
【００５７】
従来、ＬＥＤ回路基板とＬＥＤ駆動回路基板との電気的接続は、それぞれにコネクタを設け、ＦＦＣやハーネスなどの結線部材によりこれら２つのコネクタ間を結合することにより行われている。しかしながら、ＬＥＤ自体の単価が大きく低下している中で、コネクタ端子や結線部材のコストが無視できないようになっている。これに対して、本実施の形態では、光源回路ユニット１の回路基板１１は可撓性を有し、図９に示したようにバックシャーシ６１の背面側まで折り曲げ可能であるため、当該回路基板１１上のコネクタおよび結線部材は不要となり、部品点数およびコストの削減が可能となる。
【００５８】
（適用例４）
図１０は、同じく直下型のバックライトを用いた液晶表示装置の構成を表すものである。バックライト７０は、例えば上記光源回路ユニット１をバックシャーシ７１の底面に配置したものであり、光源回路ユニット１の上方にはミドルシャーシ７２により拡散シート７３が支持されている。光源回路ユニット１にはまた上記反射シート２３が配設されている。バックライト７０の前面には液晶パネル７４が配設されている。バックシャーシ７１の背面には、光源回路ユニット１に駆動電流を供給するためのＬＥＤ駆動回路基板７５が配設されている。このＬＥＤ駆動回路基板７５にはコネクタ７５Ａが設けられている。光源回路ユニット１とＬＥＤ駆動回路基板７５との電気的接続は適用例３と同様である。バックシャーシ７１の背面から液晶パネル７４の前面の周縁部まではリアカバー７６（背面保護部材）により覆われている。
【００５９】
このバックライト７０では、その上下・左右の端面に向ってバックシャーシ７１が湾曲されており、光源回路ユニット１もそれに倣って湾曲している。そして、この光源回路ユニット１では、ＬＥＤチップ１３間のピッチも湾曲の程度に合わせて上下・左右の端面になるほど狭くなっており、ＬＥＤチップ１３への駆動電流もピッチが狭く密集した割合に応じて下げるようになっている。また、リアカバー７６にもバックシャーシ７１の湾曲部に倣ってテーパ７６Ａが設けられている。
【００６０】
即ち、この液晶表示装置では、バックシャーシ７１および光源回路ユニット１を湾曲させてその上下・左右の端面側の薄型化を図ると共に、それに併せてリアカバー７６にテーパ７６Ａを設けることにより、全体としてより薄く見えるようにしたものである。このような構成の液晶表示装置では、光源回路ユニット１のＬＥＤチップ１３は端面側になるほど液晶パネル７４との間の光学的距離が短くなり、チップ間のピッチが均一であるとＬＥＤチップの粒むらが発生する。これに対して、この適用例４では、光源回路ユニット１の湾曲の程度に合わせてＬＥＤチップ１３間のピッチを変化させると共に、ＬＥＤチップ１３への駆動電流もピッチに応じて変化させるようになっている。これにより、液晶パネル７４での面輝度を一定に保つよう制御することが可能になる。
【００６１】
（適用例５）
図１１はエッジ型のバックライトを用いた液晶表示装置の構成を表すものである。このバックライト８０は、例えば上記光源回路ユニット１を導光板８１の端面に対向するようバックシャーシ８１（支持部材）の側壁に配置したものである。光源回路ユニット１の上方にはミドルシャーシ８２により拡散シート８３が支持されている。このバックライト８０の前面には液晶パネル８４が配設されている。
【００６２】
この液晶表示装置では、光源回路ユニット１の封止レンズ１２から取り出された光は導光板８１により照射方向が拡散シート８３側に変換される。そののち、図７の場合と同様に拡散シート８３を透過して液晶パネル８４に至ると共に、一部は拡散シート８３により反射され、更にその反射光が上記の白色レジスト層や反射シート等により再び拡散シート８３に戻されて液晶パネル８４に至り、その結果表示が行われる。
【００６３】
適用例１〜５として直下型およびエッジ型の液晶表示装置を説明したが、本開示の光源回路ユニット１，２をバックライトとして用いることにより、上記比較例１，２に示した光源回路ユニット１００Ａ，１００Ｂと比較して各光源回路ユニット１から取り出される光の指向性および色度のばらつきが低減される。即ち、従来用いられているパッケージ型ＬＥＤを備えた光源回路ユニットと同程度に粒むらおよびカーテンむら等の輝度むらや色度むらが低減される。よって、パッケージ化されたＬＥＤを備えた光源回路ユニットを有する表示装置よりも安価（具体的には２〜５割程度削減）で、表示性能の高い表示装置を提供することが可能となる。
【００６４】
以上、実施の形態および変形例を挙げて本技術を説明したが、本技術は上記実施の形態等に限定されるものではなく、種々変形が可能である。例えば、上記実施の形態等においては、片面に２つの電極を有するＬＥＤチップ１３を用いて説明したが、図１２に示したように両面にそれぞれ対向してｎ型電極６１Ａおよびｐ型電極６１Ｂを有するタイプＬＥＤチップ６１としてもよい。このような場合には、台座１４Ｃは他の配線層１４Ｂと一体的に形成されると共に、透明ペースト６２を導電性のものとする。即ち、ＬＥＤチップ６１の一方のｐ型電極６１Ｂには配線層１４Ａおよび配線１５Ａを通じて、他方のｎ型電極６１Ａには配線層１４Ｂおよび台座１４Ｃを通じて駆動電流が供給される。
【００６５】
なお、本技術は以下のような構成も取ることができる。
（１）表面に光反射性の配線パターンを有する回路基板と、前記回路基板上に設けられた円形状の台座と、少なくとも前記円形状の台座の周縁部から側面の一部にかけて設けられた撥水領域と、前記台座上に戴置されると共に、前記配線パターンを通じて流れる電流により駆動される１または２以上の発光素子チップとを備えた光源回路ユニット。
（２）前記台座は前記配線パターンの一部であると共に、前記撥水領域は撥水剤によって形成されている、前記（１）に記載の光源回路ユニット。
（３）前記台座は撥水剤により形成されている、前記（１）に記載の光源回路ユニット。
（４）前記発光素子チップは発光ダイオードである、前記（１）乃至（３）のいずれか１つに記載の光源回路ユニット。
（５）前記発光素子チップは片面に一対の電極を有し、前記配線パターンは、前記台座と、前記発光素子チップの２つの電極がそれぞれ電気的に接続される第１配線層および第２配線層とを含む、前記（１）乃至（４）のいずれか１つに記載の光源回路ユニット。
（６）前記発光素子チップは両面に一対の電極を有し、前記配線パターンは、前記発光素子チップの一方の電極が電気的に接続される、前記台座を兼ねた配線層と、他方の電極が電気的に接続される他の配線層とを含む、前記（１）乃至（５）のいずれか１つに記載の光源回路ユニット。
（７）前記台座への発光素子チップの搭載および前記封止レンズの形成時の位置合わせに用いられるアライメントマークは、前記配線パターンの一部である、前記（１）乃至（６）のいずれか１つに記載の光源回路ユニット。
（８）内部に光源回路ユニットを支持する支持部材と、前記光源回路ユニットの全面に対向配置された拡散シートとを備え、前記光源回路ユニットは、表面に光反射性の配線パターンを有する回路基板と、前記回路基板上に設けられた円形状の台座と、少なくとも前記円形状の台座の周縁部から側面の一部にかけて設けられた撥水領域と、前記台座上に戴置されると共に、前記配線パターンを通じて流れる電流により駆動される１または２以上の発光素子チップとを有する照明装置。
（９）内部に導光板を支持する支持部材と、前記導光板の全面に対向配置された拡散シートと、前記支持部材内の前記導光板の端面に対向配置された光源回路ユニットとを備え、前記光源回路ユニットは、表面に光反射性の配線パターンを有する回路基板と、前記回路基板上に設けられた円形状の台座と、少なくとも前記円形状の台座の周縁部から側面の一部にかけて設けられた撥水領域と、前記台座上に戴置されると共に、前記配線パターンを通じて流れる電流により駆動される１または２以上の発光素子チップとを有する照明装置。
（１０）前面から背面への貫通孔を有する支持部材と、前記支持部材の前方に支持された光学シートと、コネクタを有し、前記支持部材の背面に配置された駆動基板と、前記光学シートと前記支持部材との間に配置されると共に、前記貫通孔を介して前記支持部材の背面まで延在し、かつ前記コネクタを介して前記駆動基板に電気的に接続された、折り曲げ可能な光源回路ユニットとを備え、前記光源回路ユニットは、表面に光反射性の配線パターンを有する回路基板と、前記回路基板上に設けられた円形状の台座と、少なくとも前記円形状の台座の周縁部から側面の一部にかけて設けられた撥水領域と、前記台座上に戴置されると共に、前記配線パターンを通じて流れる電流により駆動される１または２以上の発光素子チップとを有する照明装置。
（１１）前面から背面への貫通孔を有する支持部材と、前記支持部材の前方に支持された光学シートと、コネクタを有し、前記支持部材の背面に配置された駆動基板と、前記光学シートと前記支持部材との間に併設された複数の光源回路ユニットと、前記支持部材の内部から前記貫通孔を通って背面に至ると共に、前記複数の光源回路ユニットそれぞれとは異方性導電樹脂を介して、前記駆動基板とは前記コネクタを介して電気的に接続された折り曲げ可能な接続部材とを備え、前記光源回路ユニットは、表面に光反射性の配線パターンを有する回路基板と、前記回路基板上に設けられた円形状の台座と、少なくとも前記円形状の台座の周縁部から側面の一部にかけて設けられた撥水領域と、前記台座上に戴置されると共に、前記配線パターンを通じて流れる電流により駆動される１または２以上の発光素子チップとを有する照明装置。
（１２）光学シートと、中央から端面側になるにつれて前記光学シートとの距離が狭くなるような湾曲底面を有する支持部材と、複数の発光素子チップを（１または２以上の）列状に有すると共に、前記支持部材内に前記湾曲底面に沿って収容された折り曲げ可能な光源回路ユニットと、前記光学シートの両端近傍から前記支持部材の背面全体を覆うと共に、前記支持部材の湾曲底面に倣った傾斜面を有する背面保護部材とを備え、前記光源回路ユニットは、表面に光反射性の配線パターンを有する回路基板と、前記回路基板上に設けられた円形状の台座と、少なくとも前記円形状の台座の周縁部から側面の一部にかけて設けられた撥水領域と、前記台座上に戴置されると共に、前記配線パターンを通じて流れる電流により駆動される１または２以上の発光素子チップとを有する照明装置。
（１３）前記複数の発光素子チップの列方向の配列ピッチが前記収容空間の幅が狭くなるにつれて狭くなっている、前記（１２）に記載の照明装置。
（１４）面輝度を均一化するよう前記複数の発光素子チップに対する駆動電流を前記発光素子チップの列方向の配列ピッチに応じて調整する、前記（１３）に記載の照明装置。
（１５）表示パネルと、前記表示パネルに対する光源としての光源回路ユニットとを備え、前記光源回路ユニットは、表面に光反射性の配線パターンを有する回路基板と、前記回路基板上に設けられた円形状の台座と、少なくとも前記円形状の台座の周縁部から側面の一部にかけて設けられた撥水領域と、前記台座上に戴置されると共に、前記配線パターンを通じて流れる電流により駆動される１または２以上の発光素子チップとを有する表示装置。
【符号の説明】
【００６６】
１，２…光源回路ユニット、１１…回路基板、１２…封止レンズ、１３…ＬＥＤチップ（発光素子チップ）、１４…配線パターン、１４Ａ，１４Ｂ…配線層、１４Ｃ，２４Ｃ…台座、１４Ｄ…アライメントマーク、１５Ａ，１５Ｂ…配線（ボンディングワイヤ）、１６…透明ペースト、１７…撥水層、２４Ｅ…チップ搭載層。
【図１】
2013004815.tif 000003
【図２】
2013004815.tif 000004
【図３】
2013004815.tif 000005
【図４】
2013004815.tif 000006
【図５】
2013004815.tif 000007
【図６】
2013004815.tif 000008
【図７】
2013004815.tif 000009
【図８】
2013004815.tif 000010
【図９】
2013004815.tif 000011
【図１０】
2013004815.tif 000012
【図１１】
2013004815.tif 000013
【図１２】
2013004815.tif 000014